(57)【要約】   本発明の特定の実施形態はケーブルの束を緊締するための面ファスナ括り材（１００）を提供する。面ファスナ括り材は、基材構成要素とループ構成要素とフック構成要素と滑り止め構成要素（１２３）とを備える。基材構成要素は、第１側面と、第１側面の反対側の第２側面と、第１端部と、第１端部の反対側の第２端部とを有する。ループ構成要素は、基材構成要素の第１側面に貼り付けられ、複数のループ係着要素（１１１）を有する。フック構成要素は、基材構成要素の第２側面に貼り付けられ、基材構成要素の第１端部に配置され、そこから基材構成要素の第２端部に向かって伸張し、複数のフック係着要素（１２２）を有する。滑り止め構成要素は、基材構成要素の第２側面に貼り付けられ、そこから基材構成要素の第１端部に向かって伸張する。フック構成要素と滑り止め構成要素の近接する端部は、その間に間隙を画定するように間隔をあけて配置される。
2012527383.tif 000002
【特許請求の範囲】
【請求項１】
ケーブルの束を緊締するための面ファスナ括り材において、
第１側面と、前記第１側面の反対側の第２側面と、第１端部と、前記第１端部の反対側の第２端部と、を有している基材構成要素と、
前記基材構成要素の前記第１側面に貼り付けられているループ構成要素であって、前記ループ構成要素は、複数のループ係着要素を有している、ループ構成要素と、
前記基材構成要素の前記第２側面に貼り付けられているフック構成要素であって、前記フック構成要素は、前記基材構成要素の前記第１端部に配置され、そこから前記基材構成要素の前記第２端部に向かって伸張していて、前記フック構成要素は、複数のフック係着要素を有している、フック構成要素と、
前記基材構成要素の前記第２側面に貼り付けられている滑り止め構成要素であって、前記滑り止め構成要素は、前記基材構成要素の前記第２端部に配置され、そこから前記基材構成要素の前記第１端部に向かって伸張している、滑り止め構成要素と、を備えており、
前記フック構成要素と前記滑り止め構成要素の近接する端部は、その間に間隙を画定するように間隔をあけて配置されている、面ファスナ括り材。
【請求項２】
前記基材構成要素は、ポリマー薄膜を含んでいる、請求項１に記載の面ファスナ括り材。
【請求項３】
前記ポリマー薄膜は、ポリエステルを含んでいる、請求項２に記載の面ファスナ括り材。
【請求項４】
前記ポリマー薄膜は、テレフタル酸ポリエチレンを含んでいる、請求項２に記載の面ファスナ括り材。
【請求項５】
前記ループ構成要素は、ループ織物を含んでいる、請求項１に記載の面ファスナ括り材。
【請求項６】
前記ループ織物は、ナイロンを含んでいる、請求項５に記載の面ファスナ括り材。
【請求項７】
前記ループ織物はポリプロピレンを含んでいる、請求項５に記載の面ファスナ括り材。
【請求項８】
前記フック構成要素は、フック織物を含んでいる、請求項１に記載の面ファスナ括り材。
【請求項９】
前記フック織物は、ナイロンを含んでいる、請求項８に記載の面ファスナ括り材。
【請求項１０】
前記フック織物は、ポリプロピレンを含んでいる、請求項８に記載の面ファスナ括り材。
【請求項１１】
前記ループ構成要素は、永久接着剤を使用して前記基材構成要素に貼り付けられる、請求項１に記載の面ファスナ括り材。
【請求項１２】
前記永久接着剤は、化学的に活性化される接着剤を含んでいる、請求項１１に記載の面ファスナ括り材。
【請求項１３】
前記永久接着剤は、熱的に活性化される接着剤を含んでいる、請求項１１に記載の面ファスナ括り材。
【請求項１４】
前記フック構成要素は、永久接着剤を使用して前記基材構成要素に貼り付けられる、請求項１に記載の面ファスナ括り材。
【請求項１５】
前記永久接着剤は、化学的に活性化される接着剤を含んでいる、請求項１４に記載の面ファスナ括り材。
【請求項１６】
前記永久接着剤は、熱的に活性化される接着剤を含んでいる、請求項１４に記載の面ファスナ括り材。
【請求項１７】
前記滑り止め構成要素は、前記基材構成要素の前記第２側面に塗布される取り外し可能な接着剤を含んでいる、請求項１に記載の面ファスナ括り材。
【請求項１８】
前記取り外し可能な接着剤は、感圧接着材を含んでいる、請求項１７に記載の面ファスナ括り材。
【請求項１９】
ケーブルの束を緊締するための面ファスナ括り材において、
第１側面と、前記第１側面の反対側の第２側面と、第１端部と、前記第１端部の反対側の第２端部と、を有している基材構成要素と、
永久接着剤を使用して前記基材構成要素の前記第１側面に貼り付けられているループ構成要素であって、前記ループ構成要素は、複数のループ係着要素を有している、ループ構成要素と、
永久接着剤を使用して前記基材構成要素の前記第２側面に貼り付けられているフック構成要素であって、前記フック構成要素は、前記基材構成要素の前記第１端部に配置され、そこから前記基材構成要素の前記第２端部に向かって伸張していて、前記フック構成要素は、複数のフック係着要素を有している、フック構成要素と、
前記基材構成要素の前記第２側面に塗布される取り外し可能な接着剤であって、前記取り外し可能な接着剤は、前記基材構成要素の前記第２端部に配置され、そこから前記基材構成要素の前記第１端部に向かって伸張している、取り外し可能な接着剤と、を備えており、
前記フック構成要素と前記取り外し可能な接着剤の近接する端部は、その間に間隙を画定するように間隔をあけて配置されている、面ファスナ括り材。
【請求項２０】
ケーブルの束を緊締するための面ファスナ括り材を作り上げる方法において、
第１側面と、前記第１側面の反対側の第２側面と、第１端部と、前記第１端部の反対側の第２端部と、を有する基材構成要素を提供する段階と、
永久接着剤を使用してループ構成要素を前記基材構成要素の前記第１側面に貼り付ける段階であって、前記ループ構成要素は、複数のループ係着要素を有している、ループ構成要素を貼り付ける段階と、
永久接着剤を使用してフック構成要素を前記基材構成要素の前記第２側面に貼り付ける段階であって、前記フック構成要素は、前記基材構成要素の前記第１端部に配置されていて、前記基材構成要素の前記第２端部に向かって伸張しており、前記フック構成要素は、複数のフック係着要素を有している、フック構成要素を貼り付ける段階と、
取り外し可能な接着剤を前記基材構成要素の前記第２側面に塗布する段階であって、前記取り外し可能な接着剤は、前記基材構成要素の前記第２端部に配置されていて、前記基材構成要素の前記第１端部に向かって伸張している、取り外し可能な接着剤を塗布する段階と、から成っていて、
前記フック構成要素と前記取り外し可能な接着剤の近接する端部は、その間に間隙を画定するように間隔をあけて配置されている、方法。
【発明の詳細な説明】
【技術分野】
【０００１】
本発明は、面ファスナ括り材に関する。より厳密には、本発明は、束を損傷する危険性なしにより高い結束張力をかけるための滑り止め領域を有する面ファスナ括り材に関する。
【背景技術】
【０００２】
面ファスナは、技術的に公知である。先行技術の面ファスナの例として、その全体を参照してここに援用する、特許文献１のＶｅｌｓｔｒａｐ商標の滑り止めネオプレンを有するストラップ（ネバダ州、Ｖｅｌｃｒｏ  Ｉｎｄｕｓｔｒｉｅｓ社）及び感圧接着式裏面を有するＣｏｒｏｐｌａｓｔニットループ（Ａｐｌｉｘ社）が挙げられる。
【０００３】
しかしながら、これらの先行技術の面ファスナがあるものの、束を損傷する危険なしにより高い結束張力をかけるための滑り止め領域を有する面ファスナ括り材の必要性がいまだ存在する。
【先行技術文献】
【特許文献】
【０００４】
【特許文献１】米国特許第５，２００，２４５号明細書
【発明の概要】
【課題を解決するための手段】
【０００５】
本発明の特定の実施形態は、ケーブルの束を緊締するための面ファスナ括り材を提供している。面ファスナ括り材は、基材構成要素と、ループ構成要素と、フック構成要素と、滑り止め構成要素と、を備えている。基材構成要素は、第１側面と、第１側面の反対側の第２側面と、第１端部と、第１端部の反対側の第２端部と、を有している。ループ構成要素は、基材構成要素の第１側面に貼り付けられていて、複数のループ係着要素を有している。フック構成要素は、基材構成要素の第２側面に貼り付けられ、基材構成要素の第１端部に配置され、そこから基材構成要素の第２端部に向かって伸張していて、複数のフック係着要素を有している。滑り止め構成要素は、基材構成要素の第２側面に貼り付けられていて、そこから基材構成要素の第１端部に向かって伸張している。フック構成要素と滑り止め構成要素の近接する端部は、その間に間隙を画定するように間隔をあけて配置されている。
【０００６】
本発明の特定の実施形態は、ケーブルの束を緊締するための面ファスナ括り材を作り上げる方法を提供している。方法は、基材構成要素を提供する段階と、ループ構成要素と、フック構成要素と、滑り止め構成要素と、を基材構成要素に貼り付ける段階と、を備えている。基材構成要素は、第１側面と、第１側面の反対側の第２側面と、第１端部と、第１端部の反対側の第２端部と、を有している。ループ構成要素は、基材構成要素の第１側面に貼り付けられていて、複数のループ係着要素を有している。フック構成要素は、基材構成要素の第２側面に貼り付けられ、基材構成要素の第１端部に配置され、そこから基材構成要素の第２端部に向かって伸張していて、複数のフック係着要素を有している。滑り止め構成要素は、基材構成要素の第２側面に貼り付けられ、基材構成要素の第２端部に配置されていて、そこから基材構成要素の第１端部に向かって伸張している。フック構成要素と滑り止め構成要素の近接する端部は、その間に間隙を画定するように間隔を空けて配置されている。
【図面の簡単な説明】
【０００７】
【図１】本発明の第１実施形態による面ファスナ括り材の側面図である。
【図２】図１の面ファスナ括り材の底面図である。
【図３】ワイヤの束を緊締している面ファスナ括り材を示す、図１の面ファスナ括り材の側面図である。
【図４】本発明の第２実施形態による面ファスナ括り材の構造詳細を示している。
【図５】本発明の第２実施形態による面ファスナ括り材の構造詳細を示している。
【図６】本発明の第２実施形態による面ファスナ括り材の構造詳細を示している。
【図７】本発明の第２実施形態による面ファスナ括り材の構造詳細を示している。
【図８】本発明の第３実施形態による面ファスナ括り材の構造詳細を示している。
【図９】本発明の第３実施形態による面ファスナ括り材の構造詳細を示している。
【図１０】本発明の第４実施形態による面ファスナ括り材の構造詳細を示している。
【図１１】本発明の第４実施形態による面ファスナ括り材の構造詳細を示している。
【図１２】本発明の第４実施形態による面ファスナ括り材の構造詳細を示している。
【図１３】本発明の第４実施形態による面ファスナ括り材の構造詳細を示している。
【図１４】本発明の第５実施形態による面ファスナ括り材の構造詳細を示している。
【図１５】本発明の第５実施形態による面ファスナ括り材の構造詳細を示している。
【発明を実施するための形態】
【０００８】
図１から図３は、本発明の第１実施形態による面ファスナ括り材１００を示している。
【０００９】
図１で最もよく見えるように、面ファスナ括り材１００は、第１側面１１０と第２側面１２０を含んでいる。面ファスナ括り材１００の第１側面１１０は、ループ係着領域１１１を含んでいる。ループ係着領域１１１は、フックと結合するのに適した、ニットループ、織ループ、不織布の様な、ループ係着要素１１２を複数含んでいる。
【００１０】
面ファスナ括り材１００の第２側面１２０は、フック係着領域１２１を含んでいる。フック係着領域１２１は、フック係着要素１２２を複数含んでいる。例えば、フック係着要素１２２は、釣り針型フック、キノコ型フック、超小型フック、又は他の型のフック形状であってもよい。
【００１１】
面ファスナ括り材１００の第２側面１２０は、更に、接着領域１２３を含んでいる。接着領域１２３は、感圧接着剤等の接着剤１２４を含んでいる。接着剤１２４は、平らな背面テープ上に使用されるゴム系接着剤の様な、取り外し可能な及び／又は再使用可能な接着剤であることが望ましい。
【００１２】
図１で最もよく見えるように、面ファスナ括り材１００は、成形先端部１３０を含んでいる。より詳細には、成形先端部１３０は、弓状になっている。図３で最もよく見えるように、弓状成形先端部１３０は、ワイヤ１０の束の形状に適合している。或いは、成形先端部１３０は、直線状であっても、曲がっていても又は様々な束状の目的物に適合する形状に成形されてもよい。
【００１３】
図２で最もよく見えるように、接着領域１２３の長さＬＡは、フック係着領域１２１の長さＬＨより長くなっている。即ち、面ファスナ括り材１００の第２側面１２０の大部分は、接着領域１２３を含んでいる。図２で最もよく見えるように、フック係着領域１２１は、面ファスナ括り材１００の成形先端部１３０に限定されていることが望ましい。図３で最もよく見えるように、接着領域１２３の長さＬＡは、ワイヤ束１０の周囲より長くなっていることが望ましい。
【００１４】
図３で最もよく見えるように、面ファスナ括り材１００は、ワイヤ束１０に巻き付けられている。面ファスナ括り材１００がワイヤ束１０の周囲に締め付けられている間、接着領域１２３は、ワイヤ束１０を固守しているので、片手で導入することが可能になる。接着領域１２３は、ワイヤ束１０に付着するので、面ファスナ括り材１００とワイヤ束１０との間にはどの様な滑りも生じない。接着領域１２３は、更に、面ファスナ括り材１００の第１側面１１０にも付着して、ワイヤ束１０を緊締している。フック係着領域１２１のフック係着要素１２２は、ループ係着領域１１１上のループ係着要素１１２と係合しており、更にワイヤ束１０を緊締している。面ファスナ括り材１００を取り外すためには、フック係着領域１２１を、ループ係着領域１１１から分離させる。接着剤１２４は、取り外し可能であるので、接着領域１２３は、面ファスナ括り材１００の第１側部１１０とワイヤ束１０から分離され得る。
【００１５】
本発明の特定の実施形態では、面ファスナ括り材１００の第２側面１２０は、未使用時に接着領域１２３を被覆して接着剤１２４を保護するために、紙、プラスチック又は他の適切な材料等の取り外しライナー（図示せず）を含んでいる。
【００１６】
本発明の特定の実施形態では、ループ係着要素１１１とフック係着要素１２２は、互換性を有している。即ち、面ファスナ括り材１００の第１側面１１０上のループ係着要素１１１は、フック係着要素１２２と置き換えられてもよく、面ファスナ括り材１００の第２側面１２０上のフック係着要素１２２は、ループ係着要素１１１と置き換えられてもよい。
【００１７】
接着領域１２３は、より一般的には、滑り止め領域１２３として呼ばれる場合がある。滑り止め領域１２３は、感圧接着剤の様な接着剤１２４又は熱可塑性エラストマー（例えば、サントプレーン）、合成ゴム（例えば、ネオプレン）及び／又は他の非接着性粘着基質の様な非接着性剤１２４を含んでいてもよい。
【００１８】
図４から図７は、本発明の第２実施形態による面ファスナ括り材２００の構造詳細を示している。面ファスナ括り材２００は、図１から図３の面ファスナ括り材１００に類似している。即ち、面ファスナ括り材２００は、ループ織物の一片の様なループ構成要素２１０と、ループ織物の一片の様なフック構成要素２２０と、差動テープ２３０と、を含んでおり、それぞれ、ループ係着領域１１１、フック係着領域１２１及び接着領域１２３に類似している。
【００１９】
図４で最もよく見えるように、フック構成要素２２０は、例えば、永続性を有するのに十分な厚さで塗布されるゴム系又はアクリル系接着剤等の永久接着剤を用いて、ループ構成要素２１０に取り付けられる。フック構成要素２２０は、ループ構成要素２１０の遠位端部に配置され、ループ構成要素２１０の第１部分２１１を被覆する。ループ構成要素２１０の長さは、１７．７８センチメートル（７インチ）であり、フック構成要素２２０の長さは、７．６２センチメートル（３インチ）であれば望ましい。フック構成要素２２０の形状は、図４で最もよく見えるように、曲がっている。従って、ループ構成要素２１０ひいては面ファスナ括り材２００の形状は、フック構成要素２２０の形状に合わせられる。
【００２０】
図５で最もよく見えるように、差動テープ２３０は、ループ構成要素２１０とフック構成要素２２０に取り付けられる。差動テープ２３０は、ループ構成要素２１０の第２部分２１２、更にフック構成要素２２０の第１部分２２１を被覆する。即ち、差動テープ２３０は、フック構成要素２２０の第１部分２２１の一部を覆い、それによって、面ファスナ括り材２００の全体的な強度を高めている。差動テープ２３０の長さは、１３．９７センチメートル（５．５インチ）であれば望ましい。本発明の特定の実施形態では、フック構成要素２２０の第１部分２２１は、扁平になっていてもよい（図示せず）。
【００２１】
差動テープ２３０は、第１側面２３１及び第２側面２３２を含んでいる。第１側面２３１は、差動テープ２３０をループ構成要素２１０及びフック構成要素２２０の第１部分２２１に緊締するための、永久接着剤等の第１接着剤を含んでいる。第２側面２３２は、面ファスナ括り材２００をケーブルの束に緊締するための第２接着剤を含んでいる（図示せず）。ケーブルの束と接する差動テープ２３０の第２側面２３２は、マスキングテープより強度が高く、残留物を残すこと無く取り除くことができる平らな背面テープに類似していることが望ましい。完成品の面ファスナ括り材２００を図６に示している。緊締時の面ファスナ括り材２００を図７に示している。
【００２２】
図８―図９は、本発明の第３実施形態による面ファスナ括り材３００の構造詳細を示している。面ファスナ括り材３００は、図４―図７の面ファスナ括り材２００に類似している。即ち、面ファスナ括り材３００は、ループ織物の一片の様なループ構成要素３１０と、フック織物の一片の様なフック構成要素３２０と、差動テープ３３０と、を含んでおり、それぞれ、ループ構成要素２１０、フック構成要素２２０及び差動テープ２３０に類似している。しかしながら、面ファスナ括り材２００とは違って、フック構成要素３２０の第２部分３２２は、図８で最もよく見えるように、ループ構成要素３１０の遠位端部を超えて伸張している。本発明の特定の実施形態では、フック構成要素３２０の第２の又は伸張した部分３２２は、以下に示す、即ち（１）薄型、（２）記入領域、（３）取り外し易さ及び（４）より少ないループ構成要素、という利点を提供している。完成品の面ファスナ括り材３００を図８に示している。緊締時のケーブル括り材３００を図９に示している。
【００２３】
図１０から図１３は、本発明の第４実施形態による面ファスナ括り材４００の構造詳細を示している。面ファスナ括り材４００は、図８―図９の面ファスナ括り材３００に類似している。即ち、面ファスナ括り材４００は、ループ織物の一片の様なループ構成要素４１０と、フック織物の一片の様なフック構成要素４２０と、差動テープ４３０と、を含んでおり、それぞれ、ループ構成要素３１０、フック構成要素３２０及び差動テープ３３０に類似している。しかしながら、面ファスナ括り材３００とは違って、差動テープ４３０は、図１１で最もよく見えるように、ループ構成要素４１０とフック構成要素４２０との間に配置されている。即ち、差動テープ４３０は、図１０で最もよく見えるように、ループ構成要素４１０に取り付けられ、フック構成要素４２０は、図１１で最もよく見えるように、差動テープ４３０に取り付けられる。完成品の面ファスナ括り材４００を図１２に示している。緊締時の括り材４００を図１３に示している。
【００２４】
図１４―図１５は、本発明の第５代替実施形態による面ファスナ括り材５００の構造詳細を示している。面ファスナ括り材５００は、図１―図３の面ファスナ括り材１００に類似している。即ち、面ファスナ括り材５００は、ループ構成要素５１０と、フック構成要素５２０と、滑り止め構成要素５３０と、を含んでおり、それぞれ、前述のループ係着領域１１１、フック係着領域１２１及び接着又は滑り止め領域１２３に類似している
【００２５】
図１４で示されるように、面ファスナ括り材５００は、面ファスナ括り材５００の他の構成要素を支持するための随意的な基材構成要素５４０と、未使用時に滑り止め構成要素５３０を保護するための随意的な剥離ライナー５５０と、を含んでいる。随意的な剥離ライナーは、紙、プラスチック又は未使用時に滑り止め構成要素５３０を保護することができる他の材料（例えば裏面にシリコン被覆された紙又はプラスチック）を含むことが望ましい。
【００２６】
更に、図１４―図１５で示されるように、フック構成要素５２０と滑り止め構成要素５３０の近接する端部５６０は、その間に間隙５７０を画定するように間隔をあけて配置されている。或いは、フック構成要素５２０と滑り止め構成要素５３０の近接する端部５６０は、当接しても（図１―図３の面ファスナ括り材１００と同様に）又は重なり合っても（図４―図７、図８―図９及び図１０―図１３のそれぞれの面ファスナ括り材２００、３００及び４００と同様に）よい。
【００２７】
基材構成要素５４０は、第１側面５４１、第１側面５４１の反対側の第２側面５４２、第１端部５４３及び第１端部５４３の反対側の第２端部５４４と、を含んでいる。基材構成要素５４０は、ポリエステル又はテレフタル酸ポリエチレン薄膜（例えば、Ｍｙｌａｒ）等のポリマー薄膜又は面ファスナ括り材５００の他の構成要素を支持することができる他の材料を含むことが望ましい。
【００２８】
ループ構成要素５１０は、例えば、化学的に又は熱的に活性化される接着剤（例えば、熱溶解性接着剤）等の永久接着剤５８０を使用して基材構成要素５４０の第１側面５４１に貼り付けられる。望ましいことに、ループ構成要素５１０と基材構成要素５４０は、同じ長さになっている。或いは、ループ構成要素５４０は、基材構成要素５４０より短くても又は長くてもよく、基材構成要素５４０の第１側面５４１に沿ってどの様な場所に配置されてもよい。ループ構成要素５１０は、ナイロン又はポリプロピレン製ループ織物（例えば、Ｖｅｌｃｒｏ（登録商標））等のループ織物又はフック構成要素５２０上の対応するフック係着要素と係合することができる他の材料を含むことが望ましい。
【００２９】
フック構成要素５２０は、例えば、永久接着剤５８０を使用して基材構成要素５４０の第２側面５４２に貼り付けられる。フック構成要素５２０は、基材構成要素５４０の第１端部５４３に配置されていて、そこから基材構成要素５４０の第２端部５４４に向かって伸張していることが望ましい。或いは、フック構成要素５２０は、基材構成要素５４０の第２側面５４２沿いの、滑り止め構成要素５３０以外のどの様な場所に配置されてもよい。フック構成要素５２０は、ナイロン又はポリプロピレン製フック織物（例えば、Ｖｅｌｃｒｏ（登録商標））等のフック織物又はループ構成要素５２０上のループ係着要素と係合することができる他の材料を含むことが望ましい。ループ構成要素５１０及びフック構成要素５２０は、段落００１７の項で前に述べたように、互換性を有している。
【００３０】
滑り止め構成要素５３０は、基材構成要素５４０の第２側面５４２に貼り付けられる。滑り止め構成要素５３０は、基材構成要素５４０の第２端部５４４に配置されていて、そこから基材構成要素５４０の第１端部５４３に向かって伸張していることが望ましい。或いは、滑り止め構成要素５３０は、基材構成要素５４０の第２側面５４２沿いの、滑り止め構成要素５３０以外のどの様な場所に配置されてもよい。滑り止め構成要素５４０は、段落００１８の項で前に述べたように、感圧接着剤等の取り外し可能な接着剤又は面ファスナ括り材５００が設置されている間ケーブルの束を緊締することができる他の材料を含むことが望ましい。
【００３１】
図１４で示されるように、基材構成要素５４０は、別個の構成要素である。或いは、基材構成要素５４０は、面ファスナ括り材５００の他の構成要素の一部分であってもよい。例えば、基材構成要素５４０は、ループ構成要素５１０又はフック構成要素５２０用の裏当て材の形で提供されてもよい。別の実施例では、基材構成要素５４０は、更に滑り止め構成要素５３０及び永久接着剤５８０も同様に、段落００２２の項で前に述べたように、差動テープの形で提供されてもよい。或いは、段落００２６の項で前に述べたように、基材構成要素５４０は、随意的なものであるので、例えば、フック構成要素５２０及び滑り止め構成要素５３０を直接的にループ構成要素５１０に貼り付けるなどすれば、面ファスナ括り材５００から無くされてもよい。
【００３２】
図１５で示されるように、面ファスナ括り材５００は、面ファスナ括り材シート５９０から切り取られてもよい。望ましいことに、シート５９０の幅ＷＳは、面ファスナ括り材５００の長さＬＴと等しくなっていて、シート５９０の長さＬＳは、面ファスナ括り材５００の幅ＷＴを作り出すために切り取られる。
【００３３】
以上、本発明の特に好適な実施形態を示し、説明してきたが、当業者には自明のように、本発明の教示から逸脱すること無く変更及び修正を加えることができる。先に述べた説明及び添付図面で説明した事柄は、実例を提示しているに過ぎず、何ら限定するものではない。図解された実施形態は、単なる実例であり、本発明の範囲を限定するものとみなされるべきではない。特許請求の範囲は、その趣旨で特に指定の無い限り、説明される順序又は要素に限定されるものと読まれるべきではない。従って、以下に示す特許請求及びその均等物の範囲及び精神に入るあらゆる実施形態を本発明として請求する。
【符号の説明】
【００３４】
１０    ワイヤ
１００  面ファスナ括り材
１１０  第１側面
１１１  ループ係着領域
１１２  ループ係着要素
１２０  第２側面
１２１  フック係着領域
１２２  フック係着要素
１２３  接着領域
１２４  接着剤
１３０  成形先端部
２００  面ファスナ括り材
２１０  ループ構成要素
２１１  ループ構成要素の第１部分
２１２  ループ構成要素の第２部分
２２０  フック構成要素
２２１  フック構成要素の第１部分
２３０  差動テープ
２３１  差動テープの第１側面
２３２  差動テープの第２側面
３００  面ファスナ括り材
３１０  構成要素
３２０  フック構成要素
３２２  フック構成要素の第２部分
３３０  差動テープ
４００  面ファスナ括り材
４１０  ループ構成要素
４２０  フック構成要素
４３０  差動テープ
５００  面ファスナ括り材
５１０  ループ構成要素
５２０  フック構成要素
５３０  滑り止め構成要素
５４０  基材構成要素
５４１  第１側面
５４２  第２側面
５４３  第１端部
５４４  第２端部
５５０  剥離ライナー
５７０  間隙
５８０  永久接着剤
５９０  シート
【図１】
2012527383.tif 000003
【図２】
2012527383.tif 000004
【図３】
2012527383.tif 000005
【図４】
2012527383.tif 000006
【図５】
2012527383.tif 000007
【図６】
2012527383.tif 000008
【図７】
2012527383.tif 000009
【図８】
2012527383.tif 000010
【図９】
2012527383.tif 000011
【図１０】
2012527383.tif 000012
【図１１】
2012527383.tif 000013
【図１２】
2012527383.tif 000014
【図１３】
2012527383.tif 000015
【図１４】
2012527383.tif 000016
【図１５】
2012527383.tif 000017
【手続補正書】
【提出日】平成23年11月24日(2011.11.24)
【手続補正１】
【補正対象書類名】図面
【補正対象項目名】図１４
【補正方法】変更
【補正の内容】
【図１４】
2012527383.tif 000018
【手続補正２】
【補正対象書類名】図面
【補正対象項目名】図１５
【補正方法】変更
【補正の内容】
【図１５】
2012527383.tif 000019
【国際調査報告】
2012527383.tif 000020
2012527383.tif 000021